【手続補正書】
【提出日】平成15年8月28日(2003.8.28)
【手続補正１】
【補正対象書類名】明細書
【補正対象項目名】発明の名称
【補正方法】変更
【補正の内容】
【発明の名称】印刷データ制御装置並びに制御方法及び記憶媒体


【手続補正２】
【補正対象書類名】明細書
【補正対象項目名】特許請求の範囲
【補正方法】変更
【補正の内容】
【特許請求の範囲】
【請求項１】
上位装置により生成された印刷設定データと印刷データから成る送信データを記憶するデータ記憶部と、
前記データ記憶部から送信データを読み出して出力するデータ出力部と、
使用者により入力された前記印刷データの印刷設定を変更する印刷設定変更データを受信する変更データ受信部と、
前記変更データ受信部により受信された印刷設定変更データを記憶する変更データ記憶部とを備え、
前記データ出力部は、前記変更データ記憶部に前記印刷設定変更データが存在する場合、前記データ記憶部に記憶された印刷データと、前記変更データ記憶部に記憶された印刷設定変更データを読み出して出力することを特徴とする印刷データ制御装置。
【請求項２】
請求項１において、
前記印刷設定変更データを入力する設定変更データ入力部と印刷設定変更画面を表示する印刷設定変更画面表示部とを有し、
前記設定変更データ入力部は、前記印刷設定変更画面表示部により表示された印刷設定変更画面に基づいて前記印刷設定変更データを入力することを特徴とする印刷データ制御装置。
【請求項３】
請求項１または２において、
前記変更データ記憶部に記憶された印刷設定変更データを消去する消去データを入力する消去データ入力部と、
前記消去データ入力部により入力された消去データに基づいて前記変更データ記憶部に記憶された印刷設定変更データを消去する設定変更データ消去部とを有することを特徴とする印刷データ制御装置。
【請求項４】
請求項３において、
前記消去データを入力する消去データ入力画面を表示する消去データ入力画面表示部を有し、
前記消去データ入力部は、前記消去データ入力画面表示部により表示された消去データ入力画面に基づいて前記消去データを入力することを特徴とする印刷データ制御装置。
【請求項５】
請求項１から４のいずれかにおいて、
前記データ記憶部は、前記上位装置により生成された印刷データの中から前記設定変更データ入力部により入力可能な印刷設定に関連するデータを抽出し、抽出されたデータから印刷設定を特定して前記印刷データとともに記憶する印刷設定データ記憶部を有し、
前記印刷設定変更画面表示部は、前記印刷設定データ記憶部または前記変更データ記憶部に記憶された現在の印刷設定に基づき前記印刷変更設定画面に表示することを特徴とする印刷データ制御装置。
【請求項６】
請求項５において、
前記設定変更データ入力部により印刷設定変更データが入力された場合、前記変更データ記憶部に印刷データの印刷設定変更データが記憶されていないとき、前記印刷設定データ記憶部に記憶された印刷データの全ての印刷設定データを読み出し、読み出された印刷設定データを前記設定変更データ入力部により入力された印刷設定変更データに基づいて書き換えて前記変更データ記憶部に記憶し、
前記設定変更データ入力部により印刷設定変更データが入力された場合、前記変更データ記憶部に印刷データの印刷設定変更データが記憶されていたとき、前記変更データ記憶部に記憶された印刷データの印刷設定変更データを、前記設定変更データ入力部により入力された印刷設定変更データに基づいて書き換える印刷設定書換部を有することを特徴とする印刷データ制御装置。
【請求項７】
請求項１から６のいずれかにおいて、
前記印刷設定変更データは、印刷部数情報を含むことを特徴とする印刷データ制御装置。
【請求項８】
請求項１から７のいずれかにおいて、
前記印刷設定変更データは、印刷ページ範囲情報を含むことを特徴とする印刷データ制御装置。
【請求項９】
請求項１において、
前記印刷設定データが記憶されるデータ記憶部と、印刷設定変更データが記憶される変更データ記憶部は同一記憶部であり、
前記印刷設定データが、前記印刷設定変更データで上書されることを特徴とする印刷データ制御装置。
【請求項１０】
上位装置により生成された印刷設定データと印刷データから成る送信データを記憶するデータ記憶ステップと、
記憶された前記送信データを読み出して出力するデータ出力ステップと、
使用者により入力された前記印刷データの印刷設定を変更する印刷設定変更データを受信する変更データ受信ステップと、
前記変更データ受信ステップにより受信された印刷設定変更データを記憶する変更データ記憶ステップとを含み、前記データ出力ステップは、前記変更データ記憶ステップで前記印刷設定変更データを記憶した場合、前記データ記憶ステップにより記憶された印刷データと、前記変更データ記憶ステップにより記憶された印刷設定変更データを読み出して出力するステップとを含むことを特徴とする印刷データ制御方法。
【請求項１１】
請求項１０記載の印刷データ制御方法を実行するプログラムを格納した記憶媒体。
【手続補正３】
【補正対象書類名】明細書
【補正対象項目名】０００５
【補正方法】変更
【補正の内容】
【０００５】
【課題を解決するための手段】
本発明は以上の点を解決するため次の構成を採用する。
〈構成１〉
上位装置により生成された印刷設定データと印刷データから成る送信データを記憶するデータ記憶部と、前記データ記憶部から送信データを読み出して出力するデータ出力部と、使用者により入力された前記印刷データの印刷設定を変更する印刷設定変更データを受信する変更データ受信部と、前記変更データ受信部により受信された印刷設定変更データを記憶する変更データ記憶部とを備え、前記データ出力部は、前記変更データ記憶部に前記印刷設定変更データが存在する場合、前記データ記憶部に記憶された印刷データと、前記変更データ記憶部に記憶された印刷設定変更データを読み出して出力することを特徴とする印刷データ制御装置。


【手続補正４】
【補正対象書類名】明細書
【補正対象項目名】０００６
【補正方法】変更
【補正の内容】
【０００６】
〈構成２〉
構成１において、印刷設定変更データを入力する設定変更データ入力部と印刷設定変更画面を表示する印刷設定変更画面表示部とを有し、設定変更データ入力部は、印刷設定変更画面表示部により表示された印刷設定変更画面に基づいて印刷設定変更データを入力することを特徴とする印刷データ制御装置。


【手続補正５】
【補正対象書類名】明細書
【補正対象項目名】０００７
【補正方法】変更
【補正の内容】
【０００７】
〈構成３〉
構成１または２において、変更データ記憶部に記憶された印刷設定変更データを消去する消去データを入力する消去データ入力部と、消去データ入力部により入力された消去データに基づいて変更データ記憶部に記憶された印刷設定変更データを消去する設定変更データ消去部とを有することを特徴とする印刷データ制御装置。


【手続補正６】
【補正対象書類名】明細書
【補正対象項目名】０００８
【補正方法】変更
【補正の内容】
【０００８】
〈構成４〉
構成３において、消去データを入力する消去データ入力画面を表示する消去データ入力画面表示部を有し、消去データ入力部は、消去データ入力画面表示部により表示された消去データ入力画面に基づいて消去データを入力することを特徴とする印刷データ制御装置。


【手続補正７】
【補正対象書類名】明細書
【補正対象項目名】０００９
【補正方法】変更
【補正の内容】
【０００９】
〈構成５〉
構成１から４のいずれかにおいて、データ記憶部は、前記上位装置により生成された印刷データの中から設定変更データ入力部により入力可能な印刷設定に関連するデータを抽出し、抽出されたデータから印刷設定を特定して印刷データとともに記憶する印刷設定データ記憶部を有し、印刷変更設定画面表示部は、印刷設定データ記憶部または変更データ記憶部に記憶された現在の印刷設定に基づき印刷変更設定画面に表示することを特徴とする印刷データ制御装置。


【手続補正８】
【補正対象書類名】明細書
【補正対象項目名】００１０
【補正方法】変更
【補正の内容】
【００１０】
〈構成６〉
構成５において、設定変更データ入力部により印刷設定変更データが入力された場合、前記変更データ記憶部に印刷データの印刷設定変更データが記憶されていないとき、前記印刷設定データ記憶部に記憶された印刷データの全ての印刷設定データを読み出し、読み出された印刷設定データを設定変更データ入力部により入力された印刷設定変更データに基づいて書き換えて変更データ記憶部に記憶し、上記設定変更データ入力部により印刷設定変更データが入力された場合、変更データ記憶部に印刷データの印刷設定変更データが記憶されていたとき、変更データ記憶部に記憶された印刷データの印刷設定変更データを、設定変更データ入力部により入力された印刷設定変更データに基づいて書き換える印刷設定書換部を有することを特徴とする印刷データ制御装置。


【手続補正９】
【補正対象書類名】明細書
【補正対象項目名】００１１
【補正方法】変更
【補正の内容】
【００１１】
〈構成７〉
構成１から６のいずれかにおいて、印刷設定変更データは、印刷部数情報を含むことを特徴とする印刷データ制御装置。


【手続補正１０】
【補正対象書類名】明細書
【補正対象項目名】００１２
【補正方法】変更
【補正の内容】
【００１２】
〈構成８〉
構成１から７のいずれかにおいて、印刷設定変更データは、印刷ページ範囲情報を含むことを特徴とする印刷データ制御装置。
〈構成９〉
構成１において、印刷設定データが記憶されるデータ記憶部と、印刷設定変更データが記憶される変更データ記憶部は同一記憶部であり、印刷設定データが、印刷設定変更データで上書されることを特徴とする印刷データ制御装置。


【手続補正１１】
【補正対象書類名】明細書
【補正対象項目名】００１３
【補正方法】変更
【補正の内容】
【００１３】
〈構成１０〉
上位装置により生成された印刷設定データと印刷データから成る送信データを記憶するデータ記憶ステップと、記憶された送信データを読み出して出力するデータ出力ステップと、使用者により入力された印刷データの印刷設定を変更する印刷設定変更データを受信する変更データ受信ステップと、変更データ受信ステップにより受信された印刷設定変更データを記憶する変更データ記憶ステップとを含み、データ出力ステップは、変更データ記憶ステップで印刷設定変更データを記憶した場合、データ記憶ステップにより記憶された印刷データと、変更データ記憶ステップにより記憶された印刷設定変更データを読み出して出力するステップとを含むことを特徴とする印刷データ制御方法。


【手続補正１２】
【補正対象書類名】明細書
【補正対象項目名】００１４
【補正方法】変更
【補正の内容】
【００１４】
〈構成１１〉
構成１０の印刷データ制御方法を実行するプログラムを格納した記憶媒体。